(57)【要約】【課題】  ＩＥＥＥ８０２．１１の無線ＬＡＮのアドホックモードにおいて、ＩＢＳＳＩＤ(Infrastructure-mode Basic Service Set IDentifier)の不一致によってマルチホップ通信ができない状態を回避する通信装置、プログラム及び接続方法を提供する。【解決手段】  ＥＳＳＩＤ(Extended Service Set IDdentifier、最大３２文字までの英数字（２５６bit））をＩＢＳＳＩＤ（６byte(４８bit)）に設定する。特に、ＥＳＳＩＤから、所定規則、例えば一方向性関数によって導出された値をＩＢＳＳＩＤに設定する。ビーコン信号を受信した際に、受信したビーコン信号のＥＳＳＩＤが既に登録されたものであるけれども、受信したビーコン信号のＩＢＳＳＩＤが登録されたものでない場合、ＩＢＳＳＩＤが重複している旨の情報を利用者に対して警告表示する。【選択図】  図２
2006054707.tif 000002
【特許請求の範囲】
【請求項１】
ＩＥＥＥ８０２．１１の無線ＬＡＮ用通信装置において、
アドホックモードが指定された場合、ＥＳＳＩＤをＩＢＳＳＩＤに設定することを特徴とする通信装置。
【請求項２】
前記ＥＳＳＩＤから所定規則によって導出された値を、前記ＩＢＳＳＩＤに設定することを特徴とする請求項１に記載の通信装置。
【請求項３】
前記所定規則は、一方向性関数であることを特徴とする請求項２に記載の通信装置。
【請求項４】
前記ＥＳＳＩＤ及び前記ＩＢＳＳＩＤを含むビーコン信号を受信した際に、受信した前記ビーコン信号の前記ＥＳＳＩＤが既に登録されたものであるけれども、受信した前記ビーコン信号の前記ＩＢＳＳＩＤが登録されたものでない場合、前記ＩＢＳＳＩＤが重複している旨の情報を利用者に対して警告表示する表示手段を更に含むことを特徴とする請求項２又は３に記載の通信装置。
【請求項５】
ＩＥＥＥ８０２．１１の無線ＬＡＮ用通信装置に対する設定プログラムにおいて、
アドホックモードが指定された場合、ＥＳＳＩＤをＩＢＳＳＩＤに設定する設定手段としてコンピュータを機能させることを特徴とする設定プログラム。
【請求項６】
前記ＥＳＳＩＤから所定規則によって導出された値を、前記ＩＢＳＳＩＤに設定する設定手段としてコンピュータを機能させることを特徴とする請求項５に記載の設定プログラム。
【請求項７】
前記所定規則は、一方向性関数であることを特徴とする請求項６に記載の設定プログラム。
【請求項８】
前記ＥＳＳＩＤ及び前記ＩＢＳＳＩＤを含むビーコン信号を前記通信装置が受信した際に、受信した前記ビーコン信号の前記ＥＳＳＩＤが既に登録されたものであるけれども、受信した前記ビーコン信号の前記ＩＢＳＳＩＤが登録されたものでない場合、前記ＩＢＳＳＩＤが重複している旨の情報を利用者に対して警告表示を指示する手段として更に機能させることを特徴とする請求項６又は７に記載の設定プログラム。
【請求項９】
ＩＥＥＥ８０２．１１の無線ＬＡＮ接続方法において、
アドホックモードが指定された場合、ＥＳＳＩＤをＩＢＳＳＩＤに設定することを特徴とする接続方法。
【請求項１０】
前記ＥＳＳＩＤから所定規則によって導出された値を、前記ＩＢＳＳＩＤに設定することを特徴とする請求項９に記載の接続方法。
【請求項１１】
前記所定規則は、一方向性関数であることを特徴とする請求項１０に記載の接続方法。
【請求項１２】
前記ＥＳＳＩＤ及び前記ＩＢＳＳＩＤを含むビーコン信号を前記通信装置が受信した際に、受信した前記ビーコン信号の前記ＥＳＳＩＤが既に登録されたものであるけれども、受信した前記ビーコン信号の前記ＩＢＳＳＩＤが登録されたものでない場合、前記ＩＢＳＳＩＤが重複している旨の情報を利用者に対して警告表示することを特徴とする請求項１０又は１１に記載の接続方法。
【発明の詳細な説明】
【技術分野】
【０００１】
本発明は、無線ＬＡＮのアドホックモードにおける通信装置、設定プログラム及び接続方法に関する。特に、マルチホップ通信に有効なものである。
【背景技術】
【０００２】
ＩＥＥＥ８０２．１１に代表される無線ＬＡＮにおいては、端末が基地局を介して通信するインフラストラクチャモードと、端末同士が自律分散的に直接通信するアドホックモードとがある。アドホックモードでは、隣接する端末を中継ノードとすることにより、遠隔に位置する宛先端末との間で、マルチホップ通信をすることができる。
【０００３】
インフラモード及びアドホックモードのいずれにおいても、端末は、通信するアクセスポイント又は宛先端末と、ＥＳＳＩＤ(Extended Service Set IDdentifier)が一致していなければならない。ＥＳＳＩＤは、実際に通信するグループ識別子を意味する。利用者は、パーソナルコンピュータに備えられる設定プログラムを用いて、最大３２文字までの英数字（２５６bit）からなる任意のＥＳＳＩＤを、無線ＬＡＮ用通信装置に設定することができる。
【０００４】
これに対し、一般に利用者には意識されないものとして、ＢＳＳＩＤ(Basic Service Set IDentifier)がある。ＢＳＳＩＤは、基本サービスエリア即ちセルの識別子を意味する４８bit（６byte）の値であり、ＩＥＥＥ８０２．１１標準の無線ＬＡＮの基本単位である。通常、ＢＳＳＩＤは、インフラストラクチャモードにおけるアクセスポイントのＭＡＣ(Media Access Control)アドレスに設定される。実際の通信では、このＢＳＳＩＤが一致していなければ、アクセスポイントを介して通信することはできない。一方、アドホックモードにおいても、インフラストラクチャモードと同様に、ＥＳＳＩＤだけでなく、ＩＢＳＳＩＤ(Infrastructure-mode ＢＳＳＩＤ)も一致していなければ通信できない。
【０００５】
ＩＥＥＥ８０２．１１のフレームは、ＭＡＣヘッダと、データ部分と、ＦＣＳ（Frame Check Sequence）とから構成される。以下の表１は、ＩＥＥＥ８０２．１１のＭＡＣヘッダの基本構成である。
【０００６】
【表１】
2006054707.tif 000003
【０００７】
ＭＡＣヘッダは、接続形態に応じたＤＳフィールドと、４つのアドレスを格納するフィールドとを備えることに特徴がある。ＤＳフィールドによってフレームの送信元及び宛先が無線ＬＡＮか又はそれ以外のネットワークなのかを識別する。また、アドレスフィールドでは、送信元アドレス及び宛先アドレスの他に、アクセスポイントのアドレス（ＢＳＳＩＤ）を格納することによってネットワークを識別することができる。ここでは、マルチホップ接続を対象としているために、ToDS=0及びFromDS=0に設定され、アドレス１には宛先アドレスが設定され、アドレス２には送信元アドレスが設定され、アドレス３にはＢＳＳＩＤが設定される。
【０００８】
アドホックモードにおいて、ＩＢＳＳＩＤを通信装置間で一致させるために、ＩＥＥＥ８０２．１１で規定されているビーコン信号が用いられる。ビーコン信号は、無線ＬＡＮ用通信装置から定期的に放送送信されており、そのビーコン信号には、ＥＳＳＩＤ及びＩＢＳＳＩＤ等の情報が含まれている。実際に通信装置から送信されるデータフレームのＭＡＣヘッダには、ＥＳＳＩＤではなくＩＢＳＳＩＤが載せられており（表１のアドレス３参照）、データフレームを受信した通信装置は、この値が自身のものと同じであるかどうかをチェックして、受信するか破棄するかを判定する。
【０００９】
一般に、ＩＢＳＳＩＤは、各無線ＬＡＮ用通信装置がランダムに生成した値であって、それぞれの端末がビーコンを送信し合う中で、それらのいずれか１つのＩＢＳＳＩＤに統一される（例えば非特許文献１参照）。この統一までのアルゴリズムは、ＩＥＥＥ８０２．１１では特に規定されておらず、各ベンダーの独自仕様である。
【００１０】
【非特許文献１】ＮＰＯ日本ネットワークセキュリティ協会、２００２年度相互接続ワーキンググループ、「８０２．１ｘ相互接続実験報告書」、第１．０版、第４頁、[online]、［平成１６年７月３０日検索］、インターネット＜URL:http://www.jnsa.org/houkoku2002/musenlan2002.pdf＞
【発明の開示】
【発明が解決しようとする課題】
【００１１】
近年、アドホックモードを用いてマルチホップ通信を実現する場合がある。この場合、各端末がビーコン信号を送受信するによってＩＢＳＳＩＤが統一されていくが、マルチホップ環境では、隣接する端末間と遠方の（ホップ数の大きい）端末間とでは、ＩＢＳＳＩＤが異なる値に収束してしまう可能性がある。従来、アドホックモードは、隣接端末との間の通信を主として規定されたものであった。そのため、マルチホップ通信をした場合、同じＥＳＳＩＤであっても、異なるＩＢＳＳＩＤが設定されてしまい、そのグループ間での通信ができず、ネットワーク全体の通信が非常に不安定になる場合があった。
【００１２】
図１は、従来のアドホックモードにおけるマルチホップ通信のシーケンス図である。
【００１３】
端末Ａは端末Ｂと通信可能であり（エリアＡ）、端末Ｂは端末Ａ及び端末Ｃと通信可能であり（エリアＢ）、端末Ｃは端末Ｂ及び端末Ｄと通信可能であり（エリアＣ）、端末Ｄは端末Ｃと通信可能である（エリアＤ）とする。また、全ての端末について、ＥＳＳＩＤ＝”ＫＤＤＩ”であって、端末Ａが端末Ｄと通信したいとする。
【００１４】
（Ｓ１０１）端末Ａは、ＩＢＳＳＩＤをランダムに生成し、ＩＢＳＳＩＤ＝”ＷＷＷ”を導出したとする。そこで、端末Ａは、ビーコン信号（ＫＤＤＩ、ＷＷＷ）を放送する。
（Ｓ１０２）端末Ｂは、ＩＢＳＳＩＤをランダムに生成し、ＩＢＳＳＩＤ＝”ＸＸＸ”を導出したとする。その後、端末Ｂは、端末Ａからビーコン信号（ＫＤＤＩ、ＷＷＷ）を受信したために、ＩＢＳＳＩＤ＝”ＷＷＷ”に統一したとする。そこで、端末Ｂは、ビーコン信号（ＫＤＤＩ、ＷＷＷ）を放送する。
（Ｓ１０３）一方、端末Ｄは、ＩＢＳＳＩＤをランダムに生成し、ＩＢＳＳＩＤ＝”ＹＹＹ”を導出したとする。そこで、端末Ａは、ビーコン信号（ＫＤＤＩ、ＹＹＹ）を放送する。
（Ｓ１０４）端末Ｃは、ＩＢＳＳＩＤをランダムに生成し、ＩＢＳＳＩＤ＝”ＺＺＺ”を導出したとする。その後、端末Ｃは、端末Ｄからビーコン信号（ＫＤＤＩ、ＹＹＹ）を受信したために、ＩＢＳＳＩＤ＝”ＹＹＹ”に統一したとする。そこで、端末Ｃは、ビーコン信号（ＫＤＤＩ、ＹＹＹ）を放送する。
（Ｓ１０５）このとき、端末Ｂと端末Ｃとの間でＩＢＳＳＩＤの統一が行われる前に、端末Ａが、ＥＳＳＩＤ＝”ＫＤＤＩ”及びＩＢＳＳＩＤ＝”ＷＷＷ”を含むデータ（ＫＤＤＩ、ＷＷＷ）を端末Ｂへ送信したとする。
（Ｓ１０６）端末Ｂは、端末Ｃに対してデータ（ＫＤＤＩ、ＷＷＷ）をマルチホップして送信しようとする。
（Ｓ１０７）しかしながら、端末Ｂは、端末Ｃが認定できていないとしてデータ（ＫＤＤＩ、ＷＷＷ）をマルチホップして送信しない場合がある。また、端末Ｂが端末Ｃへデータ（ＫＤＤＩ、ＷＷＷ）を送信できたとしても、端末Ｃは、ＥＳＳＩＤ＝”ＫＤＤＩ”に対するＩＢＳＳＩＤが、”ＷＷＷ”と”ＹＹＹ”とで不一致であるとして、そのデータフレームを破棄する場合がある。
【００１５】
従って、本発明によれば、ＩＥＥＥ８０２．１１の無線ＬＡＮのアドホックモードにおいて、ＩＢＳＳＩＤの不一致によってマルチホップ通信ができない状態を回避する装置、プログラム及び接続方法を提供することを目的とする。
【課題を解決するための手段】
【００１６】
本発明は、ＩＥＥＥ８０２．１１の無線ＬＡＮ用通信装置において、アドホックモードが指定された場合、ＥＳＳＩＤをＩＢＳＳＩＤに設定することを特徴とする。
【００１７】
本発明の設定プログラムにおける他の実施形態によれば、ＥＳＳＩＤから所定規則によって導出された値を、ＩＢＳＳＩＤに設定することも好ましい。
【００１８】
また、本発明の設定プログラムにおける他の実施形態によれば、所定規則は、一方向性関数であることが好ましい。
【００１９】
更に、本発明の設定プログラムにおける他の実施形態によれば、ＥＳＳＩＤ及びＩＢＳＳＩＤを含むビーコン信号を受信した際に、受信したビーコン信号のＥＳＳＩＤが既に登録されたものであるけれども、受信したビーコン信号のＩＢＳＳＩＤが登録されたものでない場合、ＩＢＳＳＩＤが重複している旨の情報を利用者に対して警告表示する表示手段を更に含むことも好ましい。
【００２０】
本発明は、ＩＥＥＥ８０２．１１の無線ＬＡＮ用通信装置に対する設定プログラムにおいて、アドホックモードが指定された場合、ＥＳＳＩＤをＩＢＳＳＩＤに設定する設定手段としてコンピュータを機能させることを特徴とする。
【００２１】
本発明の設定プログラムにおける他の実施形態によれば、ＥＳＳＩＤから所定規則によって導出された値をＩＢＳＳＩＤに設定することも好ましい。
【００２２】
また、本発明の設定プログラムにおける他の実施形態によれば、所定規則は、一方向性関数であることも好ましい。
【００２３】
更に、本発明の設定プログラムにおける他の実施形態によれば、ＥＳＳＩＤ及びＩＢＳＳＩＤを含むビーコン信号を通信装置が受信した際に、受信したビーコン信号のＥＳＳＩＤが既に登録されたものであるけれども、受信したビーコン信号のＩＢＳＳＩＤが登録されたものでない場合、ＩＢＳＳＩＤが重複している旨の情報を利用者に対して警告を指示する手段として更に機能させることも好ましい。
【００２４】
本発明は、ＩＥＥＥ８０２．１１の無線ＬＡＮ接続方法において、アドホックモードが指定された場合、ＥＳＳＩＤをＩＢＳＳＩＤに設定することを特徴とする。
【００２５】
本発明の接続方法における他の実施形態によれば、ＥＳＳＩＤから所定規則によって導出された値をＩＢＳＳＩＤに設定することも好ましい。
【００２６】
また、本発明の接続方法における他の実施形態によれば、所定規則は、一方向性関数であることも好ましい。
【００２７】
更に、本発明の接続方法における他の実施形態によれば、ＥＳＳＩＤ及びＩＢＳＳＩＤを含むビーコン信号を通信装置が受信した際に、受信したビーコン信号のＥＳＳＩＤが既に登録されたものであるけれども、受信したビーコン信号のＩＢＳＳＩＤが登録されたものでない場合、ＩＢＳＳＩＤが重複している旨の情報を利用者に対して警告表示することも好ましい。
【発明の効果】
【００２８】
本発明によれば、ＩＥＥＥ８０２．１１の無線ＬＡＮのアドホックモードにおいて、ＥＳＳＩＤに対応してＩＢＳＳＩＤが決定されるので、ＩＢＳＳＩＤの不一致によってマルチホップ通信ができない状態を回避することができる。また、ＩＢＳＳＩＤの不一致が生じないために、定期的にビーコン信号を放送することにより、ＩＢＳＳＩＤの統一を図るシーケンスも必要なく、無線通信帯域の節約にもつながる。
【発明を実施するための最良の形態】
【００２９】
以下では、図面を用いて、本発明の最良の実施形態を詳細に説明する。
【００３０】
本発明によれば、利用者が設定したＥＳＳＩＤに基づいてＩＢＳＳＩＤを決定する。ＥＳＳＩＤは最大３２文字の英数字（２５６bit）であるのに対し、ＩＢＳＳＩＤは最大６byte（４８bit）である。従って、例えば以下のような所定規則によってＩＢＳＳＩＤを決定することができる。但し、全ての端末が同じ所定規則を用いることを要する。
（１）ＥＳＳＩＤが６文字であれば、ＥＳＳＩＤをそのままＩＢＳＳＩＤに設定する。
（２）ＥＳＳＩＤの２５６bitからビット又はバイト単位で数個の所定部分のみを抽出し、それらを合成することによってＩＢＳＳＩＤの４８bitを決定する。
（３）ＥＳＳＤＤを引数とする一方向性関数を用いて、一意に決定される４８bitの値を抽出し、その値をＩＢＳＳＩＤして決定する。
【００３１】
一方向関数は、例えばハッシュ関数がある。一般に用いられるＭＤ５又はＳＨＡ−１などは、任意の長さの入力に対して１２８bit（１６byte）又はそれ以上の固定長の値を返す。従って、このような関数を用いる場合、得られた演算結果の上位６byteを用いるとしたような所定規則を決めておけばよい。
【００３２】
図２は、図１に対応して、本発明におけるマルチホップ通信のシーケンス図である。
【００３３】
（Ｓ２０１）端末Ａは、ＥＳＳＩＤ＝”ＫＤＤＩ”に基づいてＩＢＳＳＩＤ＝”ＫＤＤＩ”としたとする。そこで、端末Ａは、ビーコン信号（ＫＤＤＩ、ＫＤＤＩ）を放送する。
（Ｓ２０２）端末Ｂも、ＥＳＳＩＤ＝”ＫＤＤＩ”に基づいてＩＢＳＳＩＤ＝”ＫＤＤＩ”とする。その後、端末Ｂは、端末Ａからビーコン信号（ＫＤＤＩ、ＫＤＤＩ）を受信するが、ＥＳＳＩＤ＝”ＫＤＤＩ”についてＩＢＳＳＩＤ＝”ＫＤＤＩ”は一致する。更に、端末Ｂは、ビーコン信号（ＫＤＤＩ、ＫＤＤＩ）を放送する。
（Ｓ２０３）一方、端末Ｄも、ＥＳＳＩＤ＝”ＫＤＤＩ”に基づいてＩＢＳＳＩＤ＝”ＫＤＤＩ”としたとする。そこで、端末Ａは、ビーコン信号（ＫＤＤＩ、ＫＤＤＩ）を放送する。
（Ｓ２０４）端末Ｃも、ＥＳＳＩＤ＝”ＫＤＤＩ”に基づいてＩＢＳＳＩＤ＝”ＫＤＤＩ”とする。その後、端末Ｃは、端末Ｄからビーコン信号（ＫＤＤＩ、ＫＤＤＩ）を受信するが、ＥＳＳＩＤ＝”ＫＤＤＩ”についてＩＢＳＳＩＤ＝”ＫＤＤＩ”は一致する。更に、端末Ｂは、ビーコン信号（ＫＤＤＩ、ＫＤＤＩ）を放送する。
（Ｓ２０５）このとき、端末Ｂと端末Ｃとの間でＩＢＳＳＩＤの統一が行われる前に、端末Ａが、ＥＳＳＩＤ＝”ＫＤＤＩ”及びＩＢＳＳＩＤ＝”ＫＤＤＩ”を含むデータ（ＫＤＤＩ、ＫＤＤＩ）を端末Ｂへ送信したとする。
（Ｓ２０６）端末Ｂは、端末Ｃに対してデータ（ＫＤＤＩ、ＫＤＤＩ）をマルチホップして送信しようとする。
（Ｓ２０７）本発明によれば、前述した図１のＳ２０７と異なって、端末Ｂは、端末Ｃが認定できていなくてもデータ（ＫＤＤＩ、ＫＤＤＩ）を放送することができる。これに対し、端末Ｃは、ＥＳＳＩＤ＝”ＫＤＤＩ”に対するＩＢＳＳＩＤが、”ＫＤＤＩ”で一致しており、そのデータフレームを正常に受信することができる。更に、そのデータフレームを端末Ｄに対して送信することができる。
【００３４】
図３は、本発明についてＩＢＳＳＩＤの重複を避けるためのフローチャートである。
【００３５】
最初に、利用者が無線ＬＡＮ用通信装置にＥＳＳＩＤを設定した場合について説明する。
（Ｓ３０１）利用者がアドホックモードを指定している場合、ＥＳＳＩＤから所定規則によって所定長の値を算出する。
（Ｓ３０２）算出された値をＩＢＳＳＩＤとして設定する。
（Ｓ３０３）初期化フラグをＯＮにする。初期化フラグの作用については後述されるが、ＩＢＳＳＩＤの設定時にのみその重複を検出できるようにしたものである。
（Ｓ３０４）ＥＳＳＩＤ及びＩＢＳＳＩＤを含むビーコン信号を放送する。その際、一定期間（ビーコン待ち時間の２倍程度）の期間は初期化状態とする。
【００３６】
次に、無線ＬＡＮ用通信装置がビーコン信号を受信した場合について説明する。通信装置は、ＥＳＳＩＤにＩＢＳＳＩＤを対応付けた登録テーブルを予め保持している。従って、登録テーブルに登録されていないＥＳＳＩＤ及びＩＢＳＳＩＤを有するデータフレームを破棄することができる。
（Ｓ３１１）初期化フラグがＯＮであるか否か、即ち、新しいＩＢＳＳＩＤについての初期化状態にあるか否かを判断する。
（Ｓ３１２）初期化フラグがＯＮである場合、受信したビーコン信号に含まれるＥＳＳＩＤが登録テーブルに登録されているものであるか否かを判断する。
（Ｓ３１３）受信したビーコン信号に含まれるＥＳＳＩＤが登録テーブルに登録されているものである場合、初期化フラグをＯＦＦに設定して終了する。
（Ｓ３１４）受信したビーコン信号に含まれるＥＳＳＩＤが登録テーブルに登録されていない場合、受信したビーコン信号に含まれるＩＢＳＳＩＤが登録テーブルに登録されているか否かを判断する。そのＩＢＳＳＩＤが登録テーブルに登録されていなければ、登録テーブルには、受信したビーコン信号のＥＳＳＩＤ及びＩＢＳＳＩＤが登録されていないので、処理を終了する。
（Ｓ３１５）そのＩＢＳＳＩＤが登録テーブルに登録されていれば、ＥＳＳＩＤは登録されていないにもかかわらず、一致するＩＢＳＳＩＤが存在することになる。その場合、そのＩＢＳＳＩＤは、重複するものであるので利用できない旨を、利用者に警告表示する。ＩＢＳＳＩＤは、ＭＡＣヘッダに含まれるものであるので、重複利用を禁止すべきだからである。この警告表示によって、利用者に対してＥＳＳＩＤの変更を促すことができる。「重複」は、異なるＥＳＳＩＤから同一のＩＢＳＳＩＤが得られることをいう。このような重複は、非常に少ない確率ではあるが発生する可能性がある。
【００３７】
（Ｓ３１６）初期化フラグがＯＦＦである場合、受信したビーコン信号に含まれるＥＳＳＩＤが登録テーブルに登録されているものであるか否かを判断する。そのＥＳＳＩＤが登録されていなければ、処理を終了する。
（Ｓ３１７）そのＥＳＳＩＤが登録されていれば、受信したビーコン信号のＩＢＳＳＩＤが、そのＥＳＳＩＤに対応する登録されたＩＢＳＳＩＤと一致するか否か判断する。一致する場合、登録された正常なビーコン信号であるとして、処理を終了する。
（Ｓ３１８）受信したビーコン信号のＩＢＳＳＩＤが、そのＥＳＳＩＤに対応する登録されたＩＢＳＳＩＤと一致しない場合、ＩＢＳＳＩＤの不一致が生じているとして、自己のＥＳＳＩＤ及びＩＢＳＳＩＤを含むビーコン信号を放送する。このビーコン信号は、ビーコン信号の待ち時間以内のランダムな時刻に送信する。
【００３８】
アドホックモードの無線ＬＡＮ用通信装置は、通常、およそ定期的にビーコン信号を放送する。しかしながら、図３のフローチャートによれば、初期フラグを用いているために、ビーコン信号を定期的に放送する必要はなく、新しいＥＳＳＩＤを設定する時のみでよい。勿論、定期的にビーコン信号を放送してよいが、初期化状態はＥＳＳＩＤ又はＩＢＳＳＩＤを設定した直後のみである。
【００３９】
図４は、本発明における無線ＬＡＮ用通信装置の機能構成図である。
【００４０】
図４によれば、無線ＬＡＮ用通信装置１は、ＩＢＳＳＩＤ算出部１０と、登録テーブル部１１と、ビーコン信号送受信部１２と、データ送受信部１３と、比較制御部１４と、警告表示部１５とを有する。通信装置１は、利用者によって設定されたＥＳＳＩＤをＰＣ端末２から受信する。ＩＢＳＳＩＤ算出部１０は、そのＥＳＳＩＤを入力とし、前述した所定規則に基づいてＩＢＳＳＩＤを算出する。そして、ＩＢＳＳＩＤ算出部１０は、登録テーブル部１２へＥＳＳＩＤ及びＩＢＳＳＩＤを通知し、登録テーブル部１２は、ＥＳＳＩＤに対応付けてＩＢＳＳＩＤを記憶する。データ送受信部１３は、通信装置１に対する送受信データを、無線ＬＡＮに対して送受信する。
【００４１】
比較制御部１４は、登録テーブル部１１に新たにＩＢＳＳＩＤが登録された場合、ビーコン信号を放送的に送信する旨を、ビーコン信号送受信部１２へ指示する。また、比較制御部１４は、ビーコン信号送受信部１２が新たなＩＢＳＳＩＤのビーコン信号を受信した場合、前述した図３のフローチャートに従って処理を行う。このとき、ＥＳＳＩＤが一致しないにもかかわらず、一致するＩＢＳＳＩＤが存在する場合、比較制御部１４は、警告表示部１５に対し、そのＩＢＳＳＩＤが重複する旨の情報を通知する。その情報は、ＰＣ端末２へ通知され、例えばＩＢＳＳＩＤが重複する旨が画面に表示され、利用者に対してＥＳＳＩＤの変更を促すことができる。
【００４２】
前述した本発明における無線ＬＡＮ用通信装置、設定プログラム及び接続方法の種々の実施形態によれば、本発明の技術思想及び見地の範囲の種々の変更、修正及び省略を、当業者は容易に行うことができる。前述の説明はあくまで例であって、何ら制約しようとするものではない。本発明は、特許請求の範囲及びその均等物として限定するものにのみ制約される。
【図面の簡単な説明】
【００４３】
【図１】従来のアドホックモードにおけるマルチホップ通信のシーケンス図である。
【図２】図１に対応して、本発明におけるマルチホップ通信のシーケンス図である。
【図３】本発明についてＩＢＳＳＩＤの重複を避けるためのフローチャートである。
【図４】本発明における無線ＬＡＮ用通信装置の機能構成図である。
【符号の説明】
【００４４】
１  無線ＬＡＮ用通信装置
１０  ＩＢＳＳＩＤ算出部
１１  登録テーブル部
１２  ビーコン信号送受信部
１３  データ送受信部
１４  比較制御部
１５  警告表示部
２  パーソナルコンピュータ端末
【図１】
2006054707.tif 000004
【図２】
2006054707.tif 000005
【図３】
2006054707.tif 000006
【図４】
2006054707.tif 000007